(57)【要約】【課題】使用し易い上、異なる音程を持つ複数の音を同時に鳴らすことができる実用的なハンドベル構造を提供する。【解決手段】ハンドベル構造は、ベース３０及び鐘状の金属ベル本体１０を備える。ベース３０は、ネジ孔３２及び延伸片３３が設けられた凸座３１を有し、延伸片３３と凸座３１との間には、嵌合溝３４が設けられている。金属ベル本体１０には、取り付け孔１１が設けられ、ネジ部２２及び伸縮孔２１が設けられた受け座２０が取り付けられている。ネジ部２２が凸座３１のネジ孔３２に螺合されると、凸座３１上に金属ベル本体１０が固定される。受け座２０の伸縮孔２１には、トリガーロッド２４が嵌入され、トリガーロッド２４と受け座２０との間にはスプリング２３が取り付けられる。凸座３１には、傾斜プレート２７及び軸ロッド２６を有するクラッパー２５が設けられる。【選択図】図２
0003167234.tif 000002
【実用新案登録請求の範囲】
【請求項１】
ベース及び鐘状の金属ベル本体を備えるハンドベル構造であって、
前記ベースは、ネジ孔及び延伸片が設けられた凸座を有し、前記延伸片と前記凸座との間には、嵌合溝が設けられ、
前記金属ベル本体には、取り付け孔が設けられ、ネジ部及び伸縮孔が設けられた受け座が取り付けられ、前記ネジ部が前記凸座の前記ネジ孔に螺合されると、前記凸座上に前記金属ベル本体が固定され、前記受け座の前記伸縮孔には、トリガーロッドが嵌入され、前記トリガーロッドと前記受け座との間にはスプリングが取り付けられ、前記凸座には、傾斜プレート及び軸ロッドを有するクラッパーが設けられ、前記軸ロッドは、前記凸座の前記嵌合溝に取り付けられ、前記クラッパーを揺動させ、前記トリガーロッドは、押圧されると前記クラッパーの前記傾斜プレートに当接し、前記クラッパーを揺動させて前記金属ベル本体に打ち付けて音が鳴ることを特徴とするハンドベル構造。
【考案の詳細な説明】
【技術分野】
【０００１】
本考案は、ハンドベル構造に関し、特に、使用し易い上、異なる音程を持つ複数の音を同時に鳴らすことができる実用的なハンドベル構造に関する。
【背景技術】
【０００２】
ハンドベルとは、ベルの中にある振り子を金属製の鐘の部分に打ち付けて音を出す楽器である。従来のハンドベルは、図１に示すように、鐘状の金属ベル本体１及びハンドル２から構成されている。金属ベル本体１には、先端にクラッパー４を有するスプリング３が取り付けられている。実際に使用する際、ユーザは、手でハンドル２を握り、金属ベル本体１を振ってスプリング３を揺動させることにより、金属ベル本体１にクラッパー４を打ち付け、ベルが敲かれたときのような音を発生させる。しかし、従来のハンドベルには、以下（１）〜（３）の欠点がある。
（１）金属ベル本体１が１つの音程を持つ音しか鳴らないため、異なる音程の音を鳴らすには、別の金属ベル本体１に持ち代える必要があり、操作が不便である。
（２）手で金属ベル本体１を１回だけ振っても、スプリング３の揺動により発生する慣性力及び弾性力により、連続して打ち付けられて音が複数回鳴ることがあるため、異なる音程（即ち、周波数）の音により構成された曲や多数の音符により構成された曲を演奏することが困難となることがある。
（３）テーブルの上に置いて使用することができず、必ず手で持って使用しなければならないため、長時間演奏すると、手に疲労がたまったり痛くなったりすることがある。
【先行技術文献】
【特許文献】
【０００３】
【特許文献１】特開２００３−２８０６６５号公報
【考案の概要】
【考案が解決しようとする課題】
【０００４】
本考案の主な目的は、使用し易い上、異なる音程を持つ複数の音を同時に鳴らすことができる実用的なハンドベル構造を提供することにある。
【課題を解決するための手段】
【０００５】
上記課題を解決するために、本考案の第１の形態によれば、ベース及び鐘状の金属ベル本体を備えるハンドベル構造であって、前記ベースは、ネジ孔及び延伸片が設けられた凸座を有し、前記延伸片と前記凸座との間には、嵌合溝が設けられ、前記金属ベル本体には、取り付け孔が設けられ、ネジ部及び伸縮孔が設けられた受け座が取り付けられ、前記ネジ部が前記凸座の前記ネジ孔に螺合されると、前記凸座上に前記金属ベル本体が固定され、前記受け座の前記伸縮孔には、トリガーロッドが嵌入され、前記トリガーロッドと前記受け座との間にはスプリングが取り付けられ、前記凸座には、傾斜プレート及び軸ロッドを有するクラッパーが設けられ、前記軸ロッドは、前記凸座の前記嵌合溝に取り付けられ、前記クラッパーを揺動させ、前記トリガーロッドは、押圧されると前記クラッパーの前記傾斜プレートに当接し、前記クラッパーを揺動させて前記金属ベル本体に打ち付けて音が鳴ることを特徴とするハンドベル構造が提供される。
【考案の効果】
【０００６】
本考案のハンドベル構造は、手に持ったり、テーブルの上に置いたりして使用してもよいため便利であり、トリガーロッドを１回押圧する毎に金属ベル本体が１回だけ打ち付けられるため、正確に音を鳴らすことができる。
【図面の簡単な説明】
【０００７】
【図１】従来のハンドベル構造を示す断面図である。
【図２】本考案の一実施形態によるハンドベル構造を示す分解斜視図である。
【図３】本考案の一実施形態によるハンドベル構造を示す断面図である。
【図４】本考案の一実施形態によるハンドベル構造を使用するときの状態を示す斜視図である。
【考案を実施するための形態】
【０００８】
以下、本考案の実施形態について図に基づいて説明する。なお、これによって本考案が限定されるものではない。
【０００９】
図２〜図４を参照する。図２〜図４に示すように、本考案の一実施形態によるハンドベル構造は、ベース３０及び鐘状の金属ベル本体１０により構成される。ベース３０は、ネジ孔３２及び延伸片３３が設けられた凸座３１を有する。延伸片３３と凸座３１との間には、嵌合溝３４が設けられている。金属ベル本体１０には、取り付け孔１１が設けられ、ネジ部２２及び伸縮孔２１が設けられた受け座２０が取り付けられている。凸座３１のネジ孔３２にネジ部２２が螺合されると、凸座３１上に金属ベル本体１０が固定される。受け座２０の伸縮孔２１には、先端に先端ゴム２８が設けられたトリガーロッド２４が嵌入され、トリガーロッド２４と受け座２０との間にはスプリング２３が取り付けられている。また、凸座３１には、傾斜プレート２７及び軸ロッド２６を有するクラッパー２５が設けられている。軸ロッド２６は、凸座３１の嵌合溝３４に取り付けられ、クラッパー２５を揺動させるために用いる。
【００１０】
図３を参照する。図３に示すように、ベース３０は、テーブルの上に置いたり、手で持ったりして使用することができる。実際に使用する際、ユーザが手でトリガーロッド２４を押圧すると、クラッパー２５の傾斜プレート２７に当接され、金属ベル本体１０にクラッパー２５が打ち付けられて音が鳴る。押圧している手の力を抜くと、スプリング２３の弾性力によりトリガーロッド２４が復位し、傾斜プレート２７に当接しなくなってクラッパー２５が復位する。つまり、トリガーロッド２４を押圧する毎に、金属ベル本体１０が打ち付けられて音が鳴るため、ユーザは音を鳴らすタイミングを正確にコントロールすることができる。
【００１１】
図４を参照する。図４に示すように、ベース３０は、台座４０上に載置される。各金属ベル本体１０は、それぞれの厚さが異なるため、異なる音程（即ち、異なる周波数）を持つ音を鳴らしたり、数種類の音を同時に鳴らしたりして曲を演奏することができる。
【００１２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１３】
１  金属ベル本体
２  ハンドル
３  スプリング
４  クラッパー
１０  金属ベル本体
１１  取り付け孔
２０  受け座
２１  伸縮孔
２２  ネジ部
２３  スプリング
２４  トリガーロッド
２５  クラッパー
２６  軸ロッド
２７  傾斜プレート
２８  先端ゴム
３０  ベース
３１  凸座
３２  ネジ孔
３３  延伸片
３４  嵌合溝
４０  台座
【図１】
0003167234.tif 000003
【図２】
0003167234.tif 000004
【図３】
0003167234.tif 000005
【図４】
0003167234.tif 000006